(57)【要約】【課題】血流促進による治療効果を図れる医療具を提供する。【解決手段】治療対象部、又は、治療対象部に対して血流の上流に位置する身体部を被覆する領域が電磁波遮断素材で形成されている、医療用血流促進身体カバー。【選択図】図１
2007222530.tif 000002
【特許請求の範囲】
【請求項１】
治療対象部、又は、治療対象部に対して血流の上流に位置する身体部を被覆する領域が電磁波遮断素材で形成されている、医療用血流促進身体カバー。
【請求項２】
前記電磁波遮断素材は銀である、請求項１に記載の医療用血流促進身体カバー。
【請求項３】
前記身体カバーが、創傷用絆創膏、創傷用あて布、包帯、アームカバー、レッグカバー、頚部サポータ、帽子、又は、骨折部用あて布の、何れかである請求項１又は請求項２に記載の医療用血流促進身体カバー。
【発明の詳細な説明】
【技術分野】
【０００１】
本発明は、医療用血流促進身体カバーに関するもので、創傷用絆創膏や包帯等の種々の医療用品に適用できる。
【背景技術】
【０００２】
自然界には、本来的に存在する放射線や宇宙線以外に、テレビやラジオ等の放送電波や、ＯＡ機器や携帯電話から漏洩する電磁波が充満している。
この電磁波は、人体に悪影響を与えると思われることから、パソコン作業者等へは電磁波遮断用の事務エプロンを着用することが奨励されるようになっている（特許文献１）。又、テレビ画面には電磁波遮断用の透明フィルムを貼り付けることも知られており（特許文献２）、人体に与えると思われる悪影響を考慮して種々の電磁波対策が講じられている。
【０００３】
前記電磁波対策が講じられるのは、電磁波によって分子が振動して発熱する熱的効果の現象から類推し、身体の細胞が振動することで悪影響が生じるとの推測に基づくものであり、電磁波の非熱的効果の身体的影響についての研究は、高度な客観性が要求される医療分野に適用できる程度までは未だ進んでいない。
【０００４】
本願発明の発明者は、鋭意研究した結果、電磁波が血流に対する抵抗として作用するとの知見を得、電磁波対策についての技術を医療分野に拡大できるようにした。
即ち、血液は、これに溶解しているイオンによって電気的性質を呈することから、血流に電磁波が作用した場合は、血液が電磁波からのローレンツ力で振動して流れが乱される結果、血液の流れが悪くなると考えられる。
【０００５】
具体的には、電磁波が血流に作用すると、溶解イオン等で電気的性質を帯びた血液に電磁波からのローレンツ力Ｆが働くが、このローレンツ力Ｆは、Ｆ＝ｑ（Ｅ＋Ｖ×Ｂ）で表わされる。
（但し、ｑ：単位体積当たりの血液の電荷量    Ｅ：電場の大きさ    Ｂ：磁場の大きさ      Ｖ：血液の速度）
従って、血液の単位体積当たりの質量をｍ，電磁波で振動を受ける血液の加速度をαとすると、
α＝ｑ（Ｅ＋Ｖ×Ｂ）／ｍとなり、前記質量ｍに逆比例し且つ電場Ｅや磁場Ｂに比例した加速度が無秩序な方向に生じるから、電磁波が血流を阻害する抵抗として作用し、これにより、血液の流れが悪くなるのである。
又、電気的性質を帯びた血液が流れることに起因して発生するレンツ磁場も、血流の抵抗として機能し、血液の流れが一層悪化する。
【特許文献１】特開平１０−８８４０９号公報
【特許文献２】特開平１０−２８２８９７号公報
【発明の開示】
【発明が解決しようとする課題】
【０００６】
本発明は、かかる点に鑑みて成されたもので、血流促進による治療効果を図れる医療具を提供することを課題とする。
【課題を解決するための手段】
【０００７】
［請求項１に係る発明］
上記課題を解決するための請求項１に係る発明は、
『治療対象部、又は、治療対象部に対して血流の上流に位置する身体部を被覆する領域が電磁波遮断素材で形成されている、医療用血流促進身体カバー』である。
このものでは、創傷部や疼痛部等の治療対象部、又は、治療対象部に対して血流の上流に位置する身体部を被覆する領域が電磁波遮断素材で構成されているから、該電磁波遮断素材によって外界の電磁波が吸収される。これにより、イオンの溶解等で電気的性質を帯びた血液が電磁波からローレンツ力を受けない。従って、血流が電磁波で掻き乱されることがなく、治療対象部や、治療対象部に対して血流の上流に位置する身体部の血流促進が図れて治療効果が高くなる。
【０００８】
［請求項２に係る発明］
請求項１に係る発明において、
『前記電磁波遮断素材は、銀である』ものとすれば、請求項１に係る発明と同様に、血流促進による治療効果が高まる上に、銀の抗菌作用により、切り傷等の創傷部周辺を清潔に保つことができる。
但し、創傷部に銀が溶出する問題を考慮すると、請求項２に係る発明は、創傷部に直接接触しないものに適用するのが好ましい。
【０００９】
［請求項３に係る発明］
請求項１又２に係る発明に於いて、
『前記身体カバーが、創傷用絆創膏、創傷用あて布、包帯、アームカバー、レッグカバー、関節サポータ、頚部サポータ、帽子、又は、骨折部用あて布の、何れかである』ものとすることができる。
この場合、創傷用絆創膏、創傷用あて布、及び包帯にあっては、創傷部の血流が促進され、創傷の早期治癒が図れる。又、アームカバー、レッグカバー、関節サポータ、頚部サポータ、帽子、及び骨折部用あて布にあっては、これらで被覆される身体部の血流が促進され、該身体部に存在する疾患部の早期治癒が図れる。又、前記アームカバー等で被覆される身体部よりも血流の下流側に疾患部が存在する場合でも、前記身体部の血流促進と連動して前記下流側疾患部の血流も促進される。
【発明の効果】
【００１０】
以上説明したように、請求項１に係る発明によれば、電気的性質を帯びた血液が電磁波からローレンツ力を受けないから、血流が電磁波で掻き乱されることがなく、治療対象部や、治療対象部に対して血流の上流に位置する身体部の血流促進が図れて治療効果が高くなる。
【００１１】
請求項２に係る発明では、上記効果に加えて、銀の抗菌作用により創傷部周辺を清潔に保てる効果がある。
請求項３に係る発明では、治療効果の高い創傷用絆創膏等が提供できる。
【発明を実施するための最良の形態】
【００１２】
以下に、本発明を実施するための最良の形態について添付図面を参照しながら説明する。
［第１実施形態］
図１は、本発明に係る医療用血流促進身体カバーを例示するアームカバーの斜視図である。
このアームカバーは、ナイロン繊維が９５％と銀メッキ繊維が５％から成る、電磁波遮断素材（カネボウ繊維株式会社製「エックスエイジ（登録商標）」）から成る生地を縫製したものである。このアームカバーにより、治療対象部位たる前腕や上腕を被覆し、当該部位や、これらに対して血流の下流側の部位の血流促進を図り、これにより、被覆部位の疾患の治癒促進や四肢末梢の壊死防止を図るものである。
このものでは、筒状のアームカバー(1)の両端近傍には、内面に平面ファスナー(a)が設けられた締付バンド(2)(3)と、これに結合される他の平面ファスナ(b)が逢着されており、締付バンド(2)(3)により、アームカバー(1)を前腕等の装着対象部位に安定できるようにしている。
【００１３】
図２〜図５は、超音波双方向血流計を用いて、本発明の実施の形態に係るアームカバー(1)を装着した場合（図１参照）と、電磁波遮断効果のないナイロン繊維１００％の生地で同様に製作した通常のアームカバーを装着した場合の、橈骨動脈の血流速度（検知器(4)の当接部の血流速度）の測定を測定した結果を示す表である。尚、１回の試行での測定時間は５秒とし、測定作業を２０回試行した。
【００１４】
図２は、上記２０回の試行の結果の最高血流速度（ｃｍ／ｓ）を示す表である。
図２の表から明らかなように、本発明の実施の形態に係るアームカバー(1)を長袖のシャツ(9)上から装着した場合（「電磁波遮断」）に於ける最高血流速度の２０試行の平均は４６．９ｃｍ／ｓであり、電磁波遮断性能のない上記通常のアームカバーを装着した場合（「電磁波有り」）の平均３３．１ｃｍ／ｓより、血流促進がされていることが確認できた。尚、本発明の実施の形態に係るアームカバー(1)を装着した場合と、上記通常のアームカバーを装着した場合の測定結果の標準偏差は、同表に示すとおり、夫々、４．６と４．０であった。
【００１５】
図３は、上記２０回の試行を行った結果の平均血流速度（ｃｍ／ｓ）を示す表である。
図３の表から明らかなように、本発明の実施の形態に係るアームカバー(1)を装着した場合（「電磁波遮断」）に於ける平均血流速度の２０試行の平均は１８．７ｃｍ／ｓであり、電磁波遮断性能のない上記通常のアームカバーを装着した場合（「電磁波有り」）の平均１０．７ｃｍ／ｓより、血流促進がされていることが確認できた。尚、本発明の実施の形態に係るアームカバー(1)を装着した場合と、上記通常のアームカバーを装着した場合の測定結果の標準偏差は、同表に示すとおり、夫々、２．７と２．１であった。
【００１６】
図４は、上記２０回の試行を行った結果の最終拡張期速度（ｃｍ／ｓ）を示す表である。ここで、最終拡張期速度とは、心臓が拡張し収縮する直前の血流速度を意味する。
図４の表から明らかなように、本発明の実施の形態に係るアームカバー(1)を装着した場合（「電磁波遮断」）に於ける最終拡張期速度の２０試行の平均は１０．９ｃｍ／ｓであり、上記通常のアームカバーを装着した場合（「電磁波有り」）の平均４．５ｃｍ／ｓより、血流促進がされていることが確認できた。尚、本発明の実施の形態に係るアームカバー(1)を装着した場合と、上記通常のアームカバーを装着した場合の測定結果の標準偏差は、同表に示すとおり、夫々、３．１と１．８であった。
【００１７】
図５は、上記２０回の試行を行った結果の血管の抵抗係数（（最高血流速度―最低血流速度）／最高血流速度）を示す表である。
図５の表から明らかなように、本発明の実施の形態に係るアームカバー(1)を装着した場合（「電磁波遮断」）に於ける抵抗係数の２０試行の平均は０．７６であり、電磁波遮断性能のない上記通常のアームカバーを装着した場合（「電磁波有り」）の平均０．８６より、低くなっていることが確認できた。尚、本発明の実施の形態に係るアームカバー(1)を装着した場合と、上記通常のアームカバーを装着した場合の測定結果の標準偏差は、同表に示すとおり、共に０．０５であった。
【００１８】
以上の結果から明らかなように、銀を含む電磁波遮断素材から成る生地で製作されたアームカバー(1)によって身体の一部を覆った場合は、血流促進が図れることが分かる。
従って、上記アームカバー(1)を、前腕や上腕に装着すると、該アームカバー(1)を構成する電磁波遮断素材によって外界の電磁波が吸収される。これにより、イオンの溶解等で電気的性質を帯びた血液が電磁波からローレンツ力を受けない。従って、血流が電磁波で掻き乱されることがなく、前腕や上腕に存在する創傷や骨折等の治療対象部や、これに対する血流下流側に位置する末梢部の血流促進が図れて治療効果が高くなる。更に、アームカバー(1)を、上腕全体や前腕全体を覆い得る大きさに形成してもよい。
尚、電磁波遮断素材たる銀メッキ繊維を編み込んだニットでアームカバー(1)を製作してもよい。
【００１９】
又、静脈瘤の改善目的の為には、アームカバー(1)に弾力性を持たせて身体にフィットする構成にするのが望ましい。
又、図１のアームカバー(1)と同様な構成のレッグガバーを、下腿部や大腿部に装着することにより、脚部の血流促進を図って種々の疾患の早期治癒が図れるようにしてもよい。
【００２０】
［第２実施形態］
第２実施形態は、本願発明を創傷用絆創膏に適用したものである。
このものでは、図６に示すように、表面に粘着剤(51)が塗布された貼着テープ(5)の中央にガーゼ(6)を設けて小さな切り傷に用いる絆創膏としたもので、前記貼着テープ(5)は電磁波遮断素材で出来た生地で形成されている。
このものでは、既述第１実施形態についての試験結果から、創傷部へ血流促進が図れることが推測される。従って、創傷の治癒が促されて早期治癒が図れる。
【００２１】
尚、図８の断面図に示すように、電磁波遮断素材(10)をポリエチレン又はシリコンなどの非親水性素材(11)で被覆し、その外面に、創傷部(K)に接触するハイドロコロイド素材(12)をコーティングしたものを創傷用絆創膏としてもよい。このものでは、電磁波遮断素材(10)による血流促進効果とハイドロコロイド素材(12)の創傷治癒促進効果の相乗効果により、創傷の早期治癒が図れる。
又、電磁波遮断素材(10)を非親水性素材(11)で被覆することにより、前記電磁波遮断素材(10)の金属が創傷部(K)に影響したり、創傷部(K)を汚染することがない。
【００２２】
［第３実施形態］
第３実施形態は、本願発明を創傷用あて布に適用したものである。
このものは、図９の断面図に示すように、創傷部(K)の表面をカバーするガーゼ(13)（あるいは、ハイドロコロイド素材）の上を被覆する創傷用あて布(15)であり、ポリエチレン又はシリコンなどの非親水性素材(11)で被覆した電磁波遮断素材(10)から成る生地によって、創傷用あて布(15)が形成されている。このものでも、非親水性の素材(11)で被覆することで電磁波遮断素材(10)の金属が創傷部(K)に影響したり、創傷部(K)を汚染することがない。このものでも、前記創傷用絆創膏と同様に、創傷部の早期治癒が期待できる。
【００２３】
［第４実施形態］
第４実施形態は、本願発明を包帯に適用したものである。
即ち、創傷用の包帯又は弾力包帯を電磁波遮断素材で製作したものであり、この包帯を使用すると、創傷部への血流が促進され、創傷部の早期治癒が図れる。
上記包帯は、長尺帯状の態様のものや、ストッキネット（登録商標）と称されるチューブ状のものも含まれる。
【００２４】
図７に示すように、チューブ状の包帯(7)を使用するときは、脚(8)等の長管骨の骨折部へギブスを巻く前に骨折部に被せる。これにより、包帯(7)を構成する電磁波遮断素材で電磁波が遮断され、骨折部の血流が促進されて栄養補給や、細胞の活性化が促進され、骨折の早期治癒に貢献できる。
尚、扁平骨の骨折部へ当てがうシートを電磁波遮断素材で形成してもよい。そして、この骨折部へ当てがう場合に於ける前記シートやチューブ用包帯が既述発明特定事項たる「骨折用あて布」に対応する。
【００２５】
［第５実施形態］
第５実施形態は、本願発明を頚部サポータに適用したものである。
このものは、銀メッキ繊維を編み込んだニット等の電磁波遮断素材により、頚部用の筒状のサポータを製作し、これを頚部に装着するものである。
このものでは、装着部位たる頚部の血行促進が図れる。
【００２６】
［その他］
１．上記実施の形態では、電磁波遮断素材として、銀メッキ繊維を含む生地を使用したが、ニッケル，クロム，カーボン，銅，アルミニウム，亜鉛，チタン，鉄，バリウム，マンガン等の導電材料を含む繊維を電磁波遮断素材として使用してもよい。
２．本願発明は、頭部のみを覆う帽子、又は、目や鼻等を露出させる開口が形成された目出し帽等の帽子や、おむつカバー等にも適用できる。これらを電磁波遮断素材で製作すれば、頭部の創傷や、じょく創が出来易い仙骨や腸骨部などの血流が改善され、医療効果の向上に貢献できる。
【図面の簡単な説明】
【００２７】
【図１】本発明をアームカバーに適用した実施の形態を説明する図。
【図２】本発明の実施の形態に係るアームカバーを着用した場合と、上記通常のアームカバーを着用した場合の最高血流速度を比較した表
【図３】本発明の実施の形態に係るアームカバーを着用した場合と、上記通常のアームカバーを着用した場合の平均血流速度を比較した表
【図４】本発明の実施の形態に係るアームカバーを着用した場合と、上記通常のアームカバーを着用した場合の最終拡張期速度を比較した表
【図５】本発明の実施の形態に係るアームカバーを着用した場合と、上記通常のアームカバーを着用した場合の血流に対する抵抗係数を比較した表
【図６】本発明を実施した創傷用絆創膏の斜視図
【図７】本発明を実施したチューブ状包帯の使用状態の説明図
【図８】創傷用絆創膏の変形例の断面図
【図９】本発明を実施した創傷用あて布の断面図
【符号の説明】
【００２８】
(1)・・・アームカバー  
(2)(3)・・・締付バンド  
(5)・・・貼着テープ
(6)・・・ガーゼ
(a)(b)・・・平面ファスナ
【図１】
2007222530.tif 000003
【図２】
2007222530.tif 000004
【図３】
2007222530.tif 000005
【図４】
2007222530.tif 000006
【図５】
2007222530.tif 000007
【図６】
2007222530.tif 000008
【図７】
2007222530.tif 000009
【図８】
2007222530.tif 000010
【図９】
2007222530.tif 000011